(57)【特許請求の範囲】
【請求項１】
インナーウェアの内側面を凹凸状に立体編みで形成するインナーウェアの編成構造において、
前記立体編みの凸状部分が浮き編領域により平編領域を隆起させて形成され、
前記浮き編領域が平編領域中にコース方向に対して斜め方向に所定間隔を隔てて連続して複数配設され、
前記連続して複数配設される浮き編領域の相互間の間隔が、平編領域における４コース以上ないし８コース以下であって、且つ１ウェール以上ないし３ウェール以下であり、
前記平編領域が、ポリウレタン糸にナイロン糸をカバーリングしたカバーヤーンからなる第２の編糸と当該第２の編糸より伸縮性が低い硬質の第１の編糸とを含んで編成され、前記第１の編糸が保持ループを形成し、前記第２の編糸がニットミスによって編成されることを特徴とするインナーウェアの編成構造。
【請求項２】
前記請求項１に記載のインナーウェアの編成構造において、
前記立体編みの凸状部分が、編地に対して左上がりに延在する凸状部分と右上がりに延在する凸状部分とをコース方向で交互に配設して波状の畝となることを特徴とするインナーウェアの編成構造。
【請求項３】
前記請求項１又は２に記載のインナーウェアの編成構造において、
前記連続して複数配設される浮き編領域が、平編領域における連続する複数ウェール又は１ウェールないし３ウェールの間隔をおいた複数ウェールについて浮き編を行なうことにより編成されることを特徴とするインナーウェアの編成構造。
【発明の詳細な説明】
【技術分野】
【０００１】
この発明は、丸編みで筒状に編み立てられるインナーウェアの編成構造に関するものであり、特に、インナーウェアの内側面を凹凸状に立体編みで形成するインナーウェアの編成構造に関するものである。
【背景技術】
【０００２】
従来の被服においては、図５に示すように、被服の内面に編組織の異なる凸部１０１と凹部１０２ａ，１０２ｂが互い違いに編成されて、各凹部１０２ａ，１０２ｂは交互に深い凹部１０２ａと浅い凹部１０２ｂに編成されていて、深い凹部１０２ａは平編により編成され、浅い凹部１０２ｂは平編領域と第１浮き編領域とタック編領域とが組み合わされた編組織で構成され、凸部１０１は平編領域と第２浮き編領域とが列方向に交互に並んだ編組織で構成され、この第２浮き編領域には複数のタック編が編成されている構成とする（例えば、特許文献１参照）。
【特許文献１】特開２００２−３３９１０５号公報
【発明の開示】
【発明が解決しようとする課題】
【０００３】
従来の被服は、図５に示すように、編組織の列方向及び段方向において隣り合う凸部１０１同士が、連結することなく、それぞれ別個独立に配設されているために、この被服の着用者に対して、複数の畝状の凸部１０１が個々的に作用するに留まり、マッサージ効果が十分に得られないという問題点があった。なお、図５は従来の被服の未着用時における編組織の裏側（内面）を示す拡大平面図である。
この発明は、上述のような課題を解決するためになされたもので、着用者に対してマッサージ効果の高いインナーウェアの編成構造を提供することを目的とする。
【課題を解決するための手段】
【０００４】
この発明に係るインナーウェアにおいては、インナーウェアの内側面を凹凸状に立体編みで形成するインナーウェアの編成構造において、前記立体編みの凸状部分が浮き編領域により平編領域を隆起させて形成され、前記浮き編領域が平編領域中にコース方向に対して斜め方向に所定間隔を隔てて連続して複数配設され、前記連続して複数配設される浮き編領域の相互間の間隔が、平編領域における４コース以上ないし８コース以下であって、且つ１ウェール以上ないし３ウェール以下であり、前記平編領域が、ポリウレタン糸にナイロン糸をカバーリングしたカバーヤーンからなる第２の編糸と当該第２の編糸より伸縮性が低い硬質の第１の編糸とを含んで編成され、前記第１の編糸が保持ループを形成し、前記第２の編糸がニットミスによって編成されるものである。
【０００５】
また、この発明に係るインナーウェアにおいては、必要に応じて、前記立体編みの凸状部分が、編地に対して左上がりに延在する凸状部分と右上がりに延在する凸状部分とをコース方向で交互に配設して波状の畝となる。
【０００６】
また、この発明に係るインナーウェアにおいては、必要に応じて、前記連続して複数配設される浮き編領域が、平編領域における連続する複数ウェール又は１ウェールないし３ウェールの間隔をおいた複数ウェールについて浮き編を行なうことにより編成されるものである。
【発明の効果】
【０００８】
この発明に係るインナーウェアにおいては、インナーウェアの内側面を凹凸状に立体編みで形成するインナーウェアの編成構造において、前記立体編みの凸状部分が浮き編領域により平編領域を隆起させて形成され、前記浮き編領域が平編領域中にコース方向に対して斜め方向に所定間隔を隔てて連続して複数配設され、前記連続して複数配設される浮き編領域の相互間の間隔が、平編領域における４コース以上ないし８コース以下であって、且つ１ウェール以上ないし３ウェール以下であり、前記平編領域が、ポリウレタン糸にナイロン糸をカバーリングしたカバーヤーンからなる第２の編糸と当該第２の編糸より伸縮性が低い硬質の第１の編糸とを含んで編成され、前記第１の編糸が保持ループを形成し、前記第２の編糸がニットミスによって編成されることにより、立体編みの凸状部分が、インナーウェアの内側面に対して、連続して縄目状に突出することになる。この立体編みの凸状部分が、インナーウェアの着用者の体表に対して適度な圧力を与えると共に、着用者の動きに応じて着用者の体表とインナーウェアとのずれによる着用者の体表と立体編みの凸状部分との間に摩擦力を生じさせ、マッサージする作用があり、着用者の血行を促進することできる。特に、凸状部分が連続して突出することで、従来の被服のように、島状に点在する凸部が着用者の体表に対して個々的に作用する場合と比較して、延在する凸状部分が着用者の体表に対して連動して作用することになり、より強い力で着用者をマッサージすることができる。また、凸状部分が縄目状に突出することで、着用者の体表に対して凸状部分を掛止する作用を向上させることができ、より強い力で着用者をマッサージすることができる。また、立体編みの凸状部分が、島状に点在することなく、途切れずに連続して延在させることができると共に、連続して複数配設される浮き編領域の配列方向がコース方向に対して水平に近くなることなく、立体編みの凸状部分をコース方向に対して斜め方向に延在させることができる。また、弾性糸であるカバーヤーンにより、ニットミスの部分の両側にあるループを引き寄せ、山と山との間を狭めて縄目状の凸状部分を形成することができる。
【０００９】
また、この発明に係るインナーウェアにおいては、必要に応じて、前記立体編みの凸状部分が、編地に対して左上がりに延在する凸状部分と右上がりに延在する凸状部分とをコース方向で交互に配設して波状の畝となることにより、波状の畝となる凸状部分を形成することができ、着用者に対して効果的なマッサージ作用を奏することができる。
【００１０】
また、この発明に係るインナーウェアにおいては、必要に応じて、前記連続して複数配設される浮き編領域が、平編領域における連続する複数ウェール又は１ウェールないし３ウェールの間隔をおいた複数ウェールについて浮き編を行なうことにより編成されることにより、連続することなく平編領域における１ウェールについて浮き編を行なう場合と比較して、凸状部分を強靭にすることができる。また、立体編みの凸状部分が、島状に点在することなく、途切れずに連続して延在させることができ、着用者に対する所望のマッサージ効果を奏することができる。
【発明を実施するための最良の形態】
【００１２】
（本発明の第１の実施形態）
図１はこの第１の実施形態におけるインナーウェアの編成構造を適用したインナーウェアの一例を示す正面図、図２は図１に示すインナーウェアの背面図、図３はこの第１の実施形態におけるインナーウェアの編成構造を示す編組織図、図４は図３に示すインナーウェアの編成構造による編地の裏面を示す部分拡大平面図である。
インナーウェアは、縫製方法により以下の２つに分類される。
【００１３】
第１の縫製方法は、丸編機により筒状に編んだ１本の筒状編地を用いて、股部に相当する部分に切れ目を入れて裁断縁同士を前後で付き合わせて縫着して股部を形成するものであり、この方法により縫製したインナーウェアとしては、例えば、パンティガードル又はボディスーツなどが挙げられる。
【００１４】
また、第２の縫製方法は、丸編機により筒状に編んだ一対（２本）の筒状編地を用いて、パンティ部に相当する部分に切れ目を入れて裁断縁同士を付き合わせて縫着して一体化したものであり、この方法により縫製したインナーウェアとしては、例えば、スパッツ、タイツ又はストッキングなどが挙げられる。
【００１５】
以下、この第１の実施形態においては、インナーウェアとして、パンティガードル１００を用いて説明する。
図１及び図２に示すように、パンティガードル１００は、着用者の腰を覆う部分であり前身頃１１ａ及び後身頃１１ｂからなるパンティ部１１と、パンティ部１１の上端をなすウエスト部１２と、パンティ部１１の下端をなす裾部１３と、着用者の股における添え生地である股布２をベース生地１に縫合し形成されるマチ部１４とを備えている。
【００１６】
パンティガードル１００は、丸編みで筒状に編み立てられるベース生地１の一端部を裁断し、この裁断した部分のうちマチ部１４に対応するベース生地１に股布２を当てて縫合される。なお、この第１の実施形態においては、ベース生地１は、伸縮性のある編地であり、平編で編成されてなる。また、股布２は、ベース生地１の編地と比較して、編み目の間隔を同等又は変化させることで、同一又はそれ以上の伸縮性のある編地をなしており、例えば、ナイロン製の平編の下地に、表面を綿製のパイル地とすることで、通気性があり、インナーウェアの着用者に対する肌触りを良好にすることができる。
【００１７】
パンティ部１１は、前身頃１１ａにおける着用者の腹部に対応する領域である菱形状の腹部対応部１５、及び後身頃１１ｂにおける着用者の臀部（近位）と大腿後部（遠位）との境界線である臀溝に沿って延在する領域である臀溝対応部１６が、パンティガードル１００の内側面を凹凸状に立体編みで形成される。
【００１８】
この立体編みによる編地（以下、立体編地３と称す）は、図３に示すように、前身頃１１ａ及び後身頃１１ｂにおける平編のベース生地１に対して、ベース生地１を編成する過程でその所定箇所の平編にニットミスを行なうことによって平編領域３ａと浮き編領域３ｂとを編成し、立体編みの凸状部分４が浮き編領域３ｂにより平編領域３ａを隆起させて形成される編地である。
【００１９】
また、浮き編領域３ｂは、平編領域３ａ中にコース方向に対して斜め方向に所定間隔を隔てて連続して複数配設され、特に、連続して複数配設される浮き編領域３ｂ（浮き編を始める位置）の相互間の間隔は、平編領域３ａにおける４コース以上ないし８コース以下であって、且つ１ウェール以上ないし３ウェール以下であることが好ましい。これは、連続して複数配設される浮き編領域３ｂの相互間の間隔が、３コース以下では、連続して複数配設される浮き編領域３ｂの配列方向がコース方向に対して水平に近くなると共に、９コース以上では、コース方向で隣り合う浮き編領域３ｂの相互間の間隔が広がり過ぎてしまい、凸状部分４が島状に点在することとなり、着用者に対する所望のマッサージ効果が得られないからである。また、連続して複数配設される浮き編領域３ｂ（浮き編を始める位置）の相互間の間隔が、４ウェール以上であっても、立体編みの凸状部分４が島状に点在することになり、着用者に対する所望のマッサージ効果が得られないからである。
【００２０】
また、連続して複数配設される浮き編領域３ｂが、平編領域３ａにおける連続する複数ウェール又は１ウェールないし３ウェールの間隔をおいた複数ウェールについて浮き編を行なうことにより編成されることがさらに好ましい。これは、連続することなく平編領域３ａにおける１ウェールについて浮き編を行なう場合と比較して、凸状部分４を強靭にすることができるからである。
【００２１】
以下、立体編地３の編組織の一例について、図３を用いて説明する。
第１の編糸５ａは、浮き編がコース方向でその開始位置を順次ずらしながら編成される際に保持ループ６を形成する糸であり、太くて伸縮性が低い硬質の糸、例えば、綿、麻、羊毛若しくは絹などの天然繊維からなる単糸、又は天然繊維糸及びナイロン糸の単糸を右撚り（Ｓ撚り）に撚り合わせた双糸を用いる。これにより、浮き編領域３ｂによる平編領域３ａを隆起させた凸状部分４を強靭にできるうえに、凸状部分４による畝の高さを高くすることができ、着用者に対するマッサージ効果を高めることができる。また、１つの浮き編領域３ｂにおける保持ループ６の本数や度目を適宜設定することで、凸状部分４の強度や高さを調節することができる。
【００２２】
また、第２の編糸５ｂは、保持ループ６を形成しない糸であり、例えば、長繊維（フィラメント）糸として、ポリウレタン糸を芯糸とし、ポリウレタン糸にナイロン糸を巻き付けてカバーリングしたカバーヤーンを用いる。
【００２３】
コース方向に対して斜め方向に延在する凸状部分４は、立体編地３の編成時に浮き編を行なうウェールと通常の平編を行なうウェールとの比を１対３として、第１の編糸５ａを保持ループ６として浮き編を形成することにより隆起される。すなわち、コース方向で隣り合う浮き編領域３ｂは３ウェールの間隔を空けて形成されている。なお、浮き編は、立体編地３の編成中に特定の編針を不作動位置に置いてその編針には編糸を供給しないで前の編み目（保持ループ６）を保持するだけにして、この部分の編糸を編地の裏に真直に浮かしたものである。
【００２４】
この保持するコース数は１７コースであり、１７コースを編む最中は、浮き編の保持ループ６となる編み目を保持した編針は不作動位置を保たれたまま、編成作動を行なわない。その間に供給される編糸は編み目を形成せず、ウェルトループ７となって裏側に浮いた状態となっている。このように、第１の編糸５ａを保持ループ６として浮き編とすることにより、コース方向で隣り合う浮き編領域５ｂ間の平編領域５ａ及び浮き編のウェルトループ７がパンティガードル１００の内側面側に突出した状態となり、凸状部分４を形成する。
【００２５】
このように、図３に示す編組織では、１７コース飛ばしの浮き編を３ウェール置きに編成するものであり、浮き編を始める位置が４コースずつ左上がりにずらして配置することにより編地に対して左上がりの凸状部分４が形成される。なお、図３においては、左上がりの凸状部分４が形成される例を示したが、浮き編を始める位置を４コースずつ右上がりにずらせて配置することにより編地に対して右上がりの凸状部分４を形成してもよい。また、編地に対して左上がりの凸状部分４と右上がりの凸状部分４とをコース方向で交互に編成することにより、図４に示すように、波状の畝となる凸状部分４を形成し、着用者の血行を上下方向のみならず周方向に促進させることができ、着用者に対して効果的なマッサージ作用を奏することができる。
【００２６】
特に、腹部対応部１５を立体編地３によって編成することにより、着用者の腹部近傍の血行が促進されると共に、腹部を押さえ身体の引き締め効果を奏する。また、臀溝対応部１６を立体編地３によって編成することことにより、着用者の臀溝近傍の血行が促進されると共に、着用者の臀部を持ち上げる効果を奏する。
【００２７】
なお、図３に示す立体編地３おいては、浮き編領域３ｂにおける保持ループ６を保持するコース数を１７コースとして示したが、１７コースに限られるものではなく、連続して複数配設される浮き編領域３ｂ（浮き編を始める位置）の相互間の間隔、１つの浮き編領域３ｂにおける保持ループ６の本数、並びに第１の編糸５ａ及び第２の編糸５ｂの硬さや太さなどを考慮して、立体編みの凸状部分４が、パンティガードル１００の内側面に対して、連続して縄目状に突出するように、適宜設定する。
【００２８】
なお、この第１の実施形態においては、浮き編領域３ｂにおける保持ループ６を保持するコース数が１０コース以下である場合に、立体編みの凸状部分４による畝の高さを所望の高さにすることができず、着用者に対するマッサージ効果があまり期待できないために、１１コース以上であることが好ましい。また、浮き編領域３ｂにおける保持ループ６を保持するコース数が２６コース以上である場合に、立体編みの凸状部分４による畝の高さが高くなりすぎることで、凸状部分４による畝が横倒れを起こし、着用者に対するマッサージ効果があまり期待できないために、２５コース以下であることが好ましい。
【００２９】
また、この第１の実施形態に係るインナーウェアの編成構造は、前述したパンティガードル１００に適用することに限られるものではなく、丸編みで筒状に編み立てられ、着用者の体表に密着するインナーウェアであれば、立体編地３を適用することで同様の作用効果を奏することができる。また、インナーウェアの編地において、立体編地３を適用する箇所として特に限定されるものではなく、マッサージ作用が必要とされる箇所に対して局部的に立体編地３を編成すればよい。
【図面の簡単な説明】
【００３０】
【図１】この第１の実施形態におけるインナーウェアの編成構造を適用したインナーウェアの一例を示す正面図である。
【図２】図１に示すインナーウェアの背面図である。
【図３】この第１の実施形態におけるインナーウェアの編成構造を示す編組織図である。
【図４】図３に示すインナーウェアの編成構造による編地の裏面を示す部分拡大平面図である。
【図５】従来の被服の未着用時における編組織の裏側（内面）を示す拡大平面図である。
【符号の説明】
【００３１】
１      ベース生地
２      股布
３      立体編地
３ａ    平編領域
３ｂ    浮き編領域
４      凸状部分
５ａ    第１の編糸
５ｂ    第２の編糸
６      保持ループ
７      ウェルトループ
１１      パンティ部
１１ａ    前身頃
１１ｂ    後身頃
１２      ウエスト部
１３      裾部
１４      マチ部
１００      パンティガードル
１０１      凸部
１０２ａ    深い凹部
１０２ｂ    浅い凹部
【図１】
0005213390.tif 000002
【図２】
0005213390.tif 000003
【図３】
0005213390.tif 000004
【図５】
0005213390.tif 000005
【図４】
0005213390.tif 000006